(57)【要約】【課題】交差する直線同士の角度を確認したり、一つの直線に対して所定の角度で交差する直線を図中に書き加えることが可能な三角スケールを提供する。【解決手段】三つのスケール面Ａ，Ｂ，Ｃと、スケール面Ａ，Ｂの長手辺ＡＢと、スケール面Ａ，Ｃの長手辺ＡＣと、スケール面Ｂ，Ｃの長手辺ＢＣと、スケール面Ａの両側に形成されたスケール領域Ａｂ，Ａｃと、同じくスケール面Ｂのスケール領域Ｂａ，Ｂｃと、同じくスケール面Ｃのスケール領域Ｃａ，Ｃｂとを備え、スケール領域Ｂａには少なくとも一つの基準マーク３が設けられており、一方、スケール領域Ｃａには、基準マーク３を通ってスケール面Ａを横断する仮想直線が長手辺ＡＣと直交する位置を角度基準点５としてそこから長手辺ＡＣに沿って、スケール面Ａの短手辺の長さがＷであるときＷtanθの距離を置いた位置に９０゜−θの角度を示す角度マーク４が設けられている三角スケール１を提供する。【選択図】        図１
2015161678.tif 000002
【特許請求の範囲】
【請求項１】
細長い略三角柱形状であって、三つのスケール面Ａ，Ｂ，Ｃと、前記スケール面Ａと前記スケール面Ｂの突き合わせ部に対応する長手辺ＡＢと、前記スケール面Ａと前記スケール面Ｃの突き合わせ部に対応する長手辺ＡＣと、前記スケール面Ｂと前記スケール面Ｃの突き合わせ部に対応する長手辺ＢＣと、前記スケール面Ａの前記長手辺ＡＢ沿いに形成されたスケール領域Ａｂと、前記スケール面Ａの前記長手辺ＡＣ沿いに形成されたスケール領域Ａｃと、前記スケール面Ｂの前記長手辺ＡＢ沿いに形成されたスケール領域Ｂａと、前記スケール面Ｂの前記長手辺ＢＣ沿いに形成されたスケール領域Ｂｃと、前記スケール面Ｃの前記長手辺ＡＣ沿いに形成されたスケール領域Ｃａと、前記スケール面Ｃの前記長手辺ＢＣ沿いに形成されたスケール領域Ｃｂと、を備えてなる三角スケールであって、
前記スケール面Ｂの長手辺ＡＢ沿いのスケール領域Ｂａには、少なくとも一つの基準マークが設けられており、
一方、前記スケール面Ｃの長手辺ＡＣ沿いのスケール領域Ｃａには、前記基準マークを通って前記スケール面Ａを横断する仮想直線が前記長手辺ＡＣと直交する位置を角度基準点として、そこから長手辺ＡＣに沿って、前記スケール面Ａの短手辺の長さが（Ｗ）ｍｍであるとき（Ｗtanθ）ｍｍの距離を置いた位置に（９０゜−θ）の角度を示す角度マークが設けられていることを特徴とする三角スケール。
【請求項２】
前記角度マークは、前記スケール領域Ｃａのほぼ全域に一つの前記角度基準点に対して前記θの値を変えて複数個設けられていることを特徴とする請求項１に記載の三角スケール。
【請求項３】
前記基準マークを設けたスケール領域Ｂａには、長さを示す目盛りとそれに対応する数字が形成されており、
一方、前記角度マークは、目盛りと前記（９０゜−θ）の値を示す数字の組合せで形成されていることを特徴とする請求項１又は２に記載の三角スケール。
【請求項４】
前記スケール領域Ｃａの長手辺ＡＣに対し前記角度マークの数字の下側を対向させ、そうして通常の三角スケールにおける数字の表示態様との比較において逆向きに角度マークの数字を配置したことを特徴とする請求項３に記載の三角スケール。
【請求項５】
少なくとも、前記スケール面Ｂのスケール領域Ｂａと、前記スケール面Ｃのスケール領域Ｃａとを覆い得る着脱可能なカバー部材を形成し、そのカバー部材にスケール領域Ｂａ，Ｃａを形成してそこに前記基準マークと前記角度マークを設けるようにしたことを特徴とする請求項１〜４に記載の三角スケール。
【発明の詳細な説明】
【技術分野】
【０００１】
本発明は、細長い略三角柱形状で三つのスケール面を備えており、各スケール面の両側の長手辺沿いに合計六つのスケール領域を有する三角スケールに関する。
【背景技術】
【０００２】
上記のように三角スケールは、細長い略三角柱形状で三本の長手辺と三つのスケール面を備えており、各スケール面の両側の長手辺沿いに合計六つのスケール領域が形成されている。そして、各スケール領域には、異なる縮尺率の長さを示す目盛りと、その目盛りに対応する数字が形成されている（特許文献１参照）。
【先行技術文献】
【特許文献】
【０００３】
【特許文献１】実登第３０３０９９６号公報
【発明の概要】
【発明が解決しようとする課題】
【０００４】
従来の三角スケールは、一般的に、図面の縮尺率に合わせて六つのスケール領域の中から一つを選択し、その目盛りを使って図面中の線分の長さを測るか、或は必要な長さの直線を図中に書き足す用途に使用する。
【０００５】
ところで、三角スケールを使用している状況下において、図面中で交わる二本の直線同士の角度を確認したり、或は一つの直線に対して所定の角度で交差する直線を書き加えることが必要になることがある。もちろんそのような場合は、分度器を使用すれば良いのであるが、その場所が外の現場等であって分度器を持ち合わせていない、ということも珍しくなく、それが作業の円滑な遂行の妨げになる可能性があった。
【課題を解決するための手段】
【０００６】
請求項１に記載したように、細長い略三角柱形状であって、三つのスケール面Ａ，Ｂ，Ｃと、前記スケール面Ａと前記スケール面Ｂの突き合わせ部に対応する長手辺ＡＢと、前記スケール面Ａと前記スケール面Ｃの突き合わせ部に対応する長手辺ＡＣと、前記スケール面Ｂと前記スケール面Ｃの突き合わせ部に対応する長手辺ＢＣと、前記スケール面Ａの前記長手辺ＡＢ沿いに形成されたスケール領域Ａｂと、前記スケール面Ａの前記長手辺ＡＣ沿いに形成されたスケール領域Ａｃと、前記スケール面Ｂの前記長手辺ＡＢ沿いに形成されたスケール領域Ｂａと、前記スケール面Ｂの前記長手辺ＢＣ沿いに形成されたスケール領域Ｂｃと、前記スケール面Ｃの前記長手辺ＡＣ沿いに形成されたスケール領域Ｃａと、前記スケール面Ｃの前記長手辺ＢＣ沿いに形成されたスケール領域Ｃｂと、を備えてなる三角スケールであって、
前記スケール面Ｂの長手辺ＡＢ沿いのスケール領域Ｂａには、少なくとも一つの基準マークが設けられており、
一方、前記スケール面Ｃの長手辺ＡＣ沿いのスケール領域Ｃａには、前記基準マークを通って前記スケール面Ａを横断する仮想直線が前記長手辺ＡＣと直交する位置を角度基準点として、そこから長手辺ＡＣに沿って、前記スケール面Ａの短手辺の長さが（Ｗ）ｍｍであるとき（Ｗtanθ）ｍｍの距離を置いた位置に（９０゜−θ）の角度を示す角度マークが設けられている三角スケールを提供する。
【０００７】
また、請求項２に記載したように、前記角度マークは、前記スケール領域Ｃａのほぼ全域に一つの前記角度基準点に対して前記θの値を変えて複数個設けられている請求項１に記載の三角スケールを提供する。
【０００８】
また、請求項３に記載したように、前記基準マークを設けたスケール領域Ｂａには、長さを示す目盛りとそれに対応する数字が形成されており、一方、前記角度マークは、目盛りと前記（９０゜−θ）の値を示す数字の組合せで形成されている請求項１又は２に記載の三角スケールを提供する。
【０００９】
また、請求項４に記載したように、前記スケール領域Ｃａの長手辺ＡＣに対し前記角度マークの数字の下側を対向させ、そうして通常の三角スケールにおける数字の表示態様との比較において逆向きに角度マークの数字を配置した請求項３に記載の三角スケールを提供する。
【００１０】
また、請求項５に記載したように、少なくとも、前記スケール面Ｂのスケール領域Ｂａと、前記スケール面Ｃのスケール領域Ｃａとを覆い得る着脱可能なカバー部材を形成し、そのカバー部材にスケール領域Ｂａ，Ｃａを形成してそこに前記基準マークと前記角度マークを設けるようにした請求項１〜４に記載の三角スケールを提供する。
【発明の効果】
【００１１】
スケール面Ａを下に向けてスケール領域Ｂａ，Ｃａの基準マークと角度マークの二点を通るように図面中の任意の直線に三角スケールを当てると、その三角スケールは、前記直線に対して角度マークで示される角度の傾きを持つ。したがって基準マークから長手辺ＡＢに沿って直線を描けば、分度器を使用せずとも、任意の直線に対して角度マークで示される角度の直線を引くことができる。もちろん図面中で互いに交差する二本の直線が、角度マークで示される角度で交差している場合には、一方の直線に三角スケールの長手辺ＡＢを合わせて他方の直線が基準マークと角度マークの二点を通るか否かで確認することができる。
【００１２】
前記角度マークは、請求項２に記載したように、スケール領域Ｃａのほぼ全域に一つの角度基準点に対してθの値を変えて複数個設けるようにしておけば、広い範囲の角度に対応することができるため、より利便性が向上する。
【００１３】
また、請求項３に記載したように、基準マークを設けたスケール領域Ｂａに長さを示す目盛りと数字を形成するようにすれば、基準マークを基点とする所望の角度と長さの直線が、きわめて簡単に作図できる。
【００１４】
また、請求項４に記載したように、スケール領域Ｃａに対応する長手辺ＡＣに対し角度マークの数字の下側を対向させ、そうして通常の三角スケールにおける数字の表示態様との比較において逆向きに角度マークの数字を配置した場合には、三角スケールを真上から見下ろす姿勢で作業するとき、基準マーク側の数字と、角度マーク側の数字が同じ向きに揃って見やすくなるため、目盛りの読み間違いが生じ難い。
【００１５】
また、請求項５に記載したように、スケール面Ｂのスケール領域Ｂａと、スケール面Ｃのスケール領域Ｃａとをカバー部材で覆ってそこに基準マークと角度マークを設けるようにすれば、既存の三角スケールを安価且つ容易に改造することができる。
【図面の簡単な説明】
【００１６】
【図１】三角スケールの平面図である。
【図２】三角スケールの拡大側面図である。
【図３】三角スケールのスケール面Ａ，Ｂ，Ｃを示す展開図である。
【図４】三角スケールのスケール面Ｂ側から見た斜視図である。
【図５】三角スケールのスケール面Ｃ側から見た斜視図である。
【図６】他の形態を示す三角スケールの拡大側面図である。
【発明を実施するための形態】
【００１７】
以下に本発明の実施の形態を図面を参照しつつ説明する。
三角スケール１は、細長い略三角柱形状（実施形態は略正三角柱形状）で、図２に示したように短手辺の長さが（Ｗ）ｍｍである三つのスケール面Ａ，Ｂ，Ｃと、各スケール面Ａ，Ｂ，Ｃ同士の突き合わせ部たる三本の長手辺ＡＢ，ＡＣ，ＢＣと、を備えている。
なお、前記長手辺ＡＢは、スケール面Ａとスケール面Ｂの突き合わせ部に対応するものであり、また、長手辺ＡＣは、スケール面Ａとスケール面Ｃの突き合わせ部に対応するものであり、さらに長手辺ＢＣは、スケール面Ｂとスケール面Ｃの突き合わせ部に対応するものである。
【００１８】
前記スケール面Ａには、図２に示したように中央に凹溝２が設けられており、その凹溝２を挟んで長手辺ＡＢ，ＡＣ沿いに二つのスケール領域Ａｂ，Ａｃが設けられ、同様にスケール面Ｂには、凹溝２を挟んで長手辺ＡＢ，ＢＣ沿いに二つのスケール領域Ｂａ，Ｂｃが設けられ、同様にスケール面Ｃには、凹溝２を挟んで長手辺ＢＣ，ＡＣ沿いに二つのスケール領域Ｃａ，Ｃｂが設けられている。
なお、前記スケール領域Ａｂは、スケール面Ａの長手辺ＡＢ沿いに設けられているものであり、スケール領域Ａｃは、スケール面Ａの長手辺ＡＣ沿いに設けられているものであり、以下同様に、スケール領域Ｂａはスケール面Ｂの長手辺ＡＢ沿いに、スケール領域Ｂｃはスケール面Ｂの長手辺ＢＣ沿いに、スケール領域Ｃａはスケール面Ｃの長手辺ＡＣ沿いに、また、スケール領域Ｃｂはスケール面Ｃの長手辺ＢＣ沿いに設けられている。
【００１９】
しかして実施形態の三角スケール１には、図２のようにスケール面Ａを紙面等に当接させた状態で、スケール面Ｂ，Ｃの使用者側から見た手前側と外側に位置するスケール領域Ｂａ，Ｃａに基準マーク３と角度マーク４が設けられている。
【００２０】
[基準マーク]
前記基準マーク３は、図１，図３，図４に示したように、スケール面Ｂのスケール領域Ｂａの中央にのみ設けられており、その基準マーク３を「０」としてそこから左右対称に１ｍｍ間隔で８０ｍｍ分の目盛りと長さを示す数字が形成されている。
【００２１】
[角度マーク]
前記基準マーク３に対応する角度マーク４は、図１，図３，図５に示したように、スケール面Ｃのスケール領域Ｃａのほぼ全域に目盛りと数字を組み合わせた状態に形成されている。
【００２２】
個々の角度マーク４は、前記基準マーク３を通ってスケール面Ａを横断する仮想直線（図示せず）が前記長手辺ＡＣと直交する位置を角度基準点５として、そこから長手辺ＡＣに沿って実寸で（Ｗtanθ）ｍｍの位置に設けた目盛りと、（９０゜−θ）の角度を示す数字で形成されている。具体的には、図１において三角スケール１の短手辺の長さＷが１５ｍｍであるとき、仮想直線が基準マーク３を通って長手辺ＡＣと直交する位置に角度基準点５を設定し、一方、例えばθを６０゜として（Ｗtanθ）＝（１５tan６０゜）の計算値である約２６ｍｍの位置に目盛りと（９０゜−θ）＝（９０゜−６０゜）＝３０゜の「３０゜」を記載する。したがって、図１の直線ＸＹに、スケール領域Ｂａの基準マーク３と、スケール領域Ｃａに表示された３０゜の角度マーク４の二点を合わせれば、直線ＸＹに対して三角スケール１を３０゜に傾けさせることができる。
実施形態では、θを０゜から８０゜まで設定して、それらに対応する目盛りと９０゜〜１０゜までの数字が、角度基準点５を中心として左右対称に設けられている。
なお、角度を示す数字は、スケール領域Ｃａのスペース上の制約及び見やすさの観点から、１０゜間隔で表示するようになっている。
【００２３】
また、角度マーク４の数字は、図１，図３，図５に示したように、通常の三角スケールの目盛りに付される数字の表示態様に反し、スケール領域Ｃａに対応する長手辺ＡＣに対して天地が逆になる向き、つまり逆さに描かれている。これにより、図２に示したように、三角スケール１を真上から見下ろして使用するとき、図１に示したように基準マーク３側の数字と、角度マーク４側の数字が同じ向きに揃って見やすくなるため、目盛りの読み間違いが生じ難い。
【００２４】
実施形態の三角スケール１は、以上のように構成されているため、スケール領域Ｂａの基準マーク３とスケール領域Ｃａの角度マーク４の二点を通るように図面中の直線ＸＹの向きを合わせると、三角スケール１は、その直線ＸＹに対して角度マーク４で示される角度の傾きを持つ。したがって基準マーク３から長手辺ＢＡに沿って直線を描けば、分度器を使用せずとも、任意の直線に対して角度マーク４で示される角度に傾いた直線を引くことができる。しかもスケール領域Ｂａに形成した長さの目盛りを使用することにより、基準マーク３から任意の長さの直線を正確に引くことができる。ちなみに、従来の分度器と定規を使って同様の直線を引くためには、分度器で角度を測りつつ適当な長さの直線を引き、その分度器を定規に持ち替えて長さを測る、という二段階の作業が必要である。
【００２５】
また、互いに交差する二本の直線同士の角度を計測する場合には、一本の直線に三角スケール１の長手辺ＡＢを合致させると共に直線同士の交点にスケール領域Ｂａの基準マーク３を一致させ、その状態で交差する直線が通るスケール領域Ｃａ上の角度マーク４を読み取ればよい。
【００２６】
なお、三角スケール１のスケール領域Ｂａ，Ｃａ以外の他のスケール領域Ａｂ，Ａｃ，Ｂｃ，Ｃｂには、図示を省略したが通常の三角スケールと同様に、異なる縮尺率の長さを示す目盛りと、その目盛りに対応する数字が形成されている。
【００２７】
以上、本発明を実施の形態について説明したが、もちろん本発明は上記実施形態に限定されるものではない。例えば、実施形態では、三角スケール１のスケール領域Ｂａ，Ｃａに基準マーク３と角度マーク４を直接表示するようにしたが、図６に示したように、少なくともスケール面Ｂのスケール領域Ｂａと、スケール面Ｃのスケール領域Ｃａとを覆い得る着脱可能なカバー部材６を例えば不透明な合成樹脂で形成し、そのカバー部材６にスケール領域Ｂａ，Ｃａを形成してそこに基準マーク３と角度マーク４を設けるようにしてもよい。この場合、カバー部材６でスケール面Ａの全体が覆われてスケール領域Ａｂ，Ａｃが隠れるため、カバー部材６のスケール面Ａを覆う部分にもスケール面Ａのスケール領域Ａｂ，Ａｃを描くようにするのがよい。かかる実施形態によれば、既存の三角スケールを安価且つ簡単に改造することができる。なお、カバー部材６は、図示しないが、断面三角形の筒状にして既存の三角スケールをすっぽり覆うようにしてもよい。
【００２８】
また、実施形態では、スケール領域Ｃａの全域に多数の角度マーク４を設けるようにしたが、例えば角度マーク４を三角定規で計測可能な３０゜と６０゜と４５゜と９０゜に対応し得るものに特定し、一方、スケール領域Ｃａには通常の三角スケールにあるような長さの目盛りを設けると共にその中に前記角度マーク４を点在させるようにしてもよい。この場合の角度マーク４は、目盛りと適宜な記号（星形、三角形、二重丸等）の組合せであってもよい。
また、実施形態では、スケール領域Ｂａの中央に一つの基準マーク３を設けるようにしたが、スケール領域Ｂａに通常の三角スケールに使用する長さの目盛りを形成すると共にそのスケール領域Ｂａの両端の目盛りを基準マークに設定してもよい。
【００２９】
また、実施形態では、スケール領域Ｃａの角度マーク４の位置を計算によって導くようにしたが、上記以外の計算方法や、作図（ＣＡＤ）によってスケール領域Ｃａにおける角度マーク４の位置を導き出すようにしてもよい。要するに、基準マークや角度マークが結果的に請求項１で規定した関係を満たすようになっていれば発明所期の目的を達し得るのであり、角度マーク４を形成する手法はどのようなものであっても構わない。
【００３０】
また、実施形態では、角度マーク４の目盛りを、長さの目盛りと同様に長手辺ＡＣと直交する縦線で形成したが、角度マーク４の各目盛りを、例えば図３において基準マーク３の延長線と長手辺ＢＣとの交点に向かわせて放射線状に傾斜させるようにしてもよい。そうした場合には、目盛りの傾きが角度マーク４を直線に合わせる際のガイド的役割を果たす。
【符号の説明】
【００３１】
Ａ，Ｂ，Ｃ  …スケール面
ＡＢ，ＡＣ，ＢＣ  …長手辺
Ａｂ，Ａｃ，Ｂａ，Ｂｃ，Ｃａ，Ｃｂ  …スケール領域
１  …三角スケール
３  …基準マーク
４  …角度マーク
５  …角度基準点
６  …カバー部材
【図１】
2015161678.tif 000003
【図２】
2015161678.tif 000004
【図３】
2015161678.tif 000005
【図４】
2015161678.tif 000006
【図５】
2015161678.tif 000007
【図６】
2015161678.tif 000008